(57)【要約】チューニング装置（１００）は、フィルタ（１３０）の温度に関連する周波数変動を補償する。例示としての実施形態に従って、チューニング装置（１００）は、ＲＦ信号ソースとチューナ（１１０）とフィルタ（１３０）とを含む。チューナ（１１０）は局部発振器（１２０）を含み、ＲＦ信号ソースとフィルタ（１３０）との間に結合され、ＩＦ信号をシル多（１３０）に供給する。チューナ（１１０）は又、フィルタ（１３０）の温度特性に応じて局部発振器（１２０）の周波数に調節するための周波数調節機構（１２６）を含む。
2005524275.tif 000002
【特許請求の範囲】
【請求項１】
ＲＦ信号ソース；
フィルタ手段；及び
局部発振器（１２０）を含むチューニング手段（１１０）であって、前記フィルタ手段（１３０）のためのＩＦ信号を供給するために前記ＲＦ信号ソースと前記フィルタ手段（１３０）との間に結合される、チューニング手段（１１０）；
を有するチューニング装置（１００）であって、
前記チューニング手段（１１０）は、前記フィルタ手段（１３０）の温度特性に応じて前記局部発振器（１２０）の出力周波数を調節するための調節手段（１２６）を更に含む；
ことを特徴とするチューニング装置。
【請求項２】
請求項１に記載のチューニング装置（１００）であって、前記フィルタ手段（１３０）は  ニオブ酸リチウム（ＬｉＮｂ）表面弾性波（ＳＡＷ）フィルタを含む、ことを特徴とするチューニング装置。
【請求項３】
請求項１に記載のチューニング装置（１００）であって、前記チューニング手段（１１０）は、前記調節手段（１２６）を制御するための第１制御信号を生成する制御手段（１５０、１７０）から前記第１制御信号を受ける、ことを特徴とするチューニング装置。
【請求項４】
請求項３に記載のチューニング装置（１００）であって、前記制御手段（１５０、１７０）は、前記フィルタ手段（１３０）の前記温度特性に対応するオフセット値を記憶するためのメモリ手段（１５０）を含む、ことを特徴とするチューニング装置。
【請求項５】
請求項４に記載のチューニング装置（１００）であって、前記制御手段（１５０、１７０）は前記オフセット値に基づいて前記第１制御信号を生成する、ことを特徴とするチューニング装置。
【請求項６】
請求項３に記載のチューニング装置（１００）であって、前記制御手段（１５０、１７０）は、前期フィルタ手段（１３０）により供給される第２制御信号に応じて前記第１制御信号を生成する、ことを特徴とするチューニング装置。
【請求項７】
ＲＦ信号ソース；
フィルタ（１３０）；及び
局部発振器（１２０）を含むチューナ（１１０）であって、前記ＲＦ信号ソース前記ＲＦ信号ソースとの間に結合され、前記フィルタ（１３０）のためのＩＦ信号を供給するために動作される、チューナ（１１０）；
を有するテレビジョン信号受信器であって、
チューナ（１１０）は、前記フィルタ（１３０）の温度特性に応じて前記局部発振器（１２０）の出力周波数を調節するために動作する周波数調節機構（１２６）を更に含む；
ことを特徴とするテレビジョン信号受信器。  
【請求項８】
請求項７に記載のテレビジョン信号受信器であって、前記フィルタ手段（１３０）は  ニオブ酸リチウム（ＬｉＮｂ）表面弾性波（ＳＡＷ）フィルタを含む、ことを特徴とするテレビジョン信号受信器。
【請求項９】
請求項７に記載のテレビジョン信号受信器であって、前記周波数調節機構（１２６）を制御するために第１制御信号を生成するように動作する処理器（１７０）から更に構成される、ことを特徴とするテレビジョン信号受信器。
【請求項１０】
請求項９に記載のテレビジョン信号受信器であって、前記フィルタ（１３０）の前記温度特性に対応するオフセット値を記憶するために動作するメモリ（１５０）から更に構成される、ことを特徴とするテレビジョン信号受信器。
【請求項１１】
請求項１０に記載のテレビジョン信号受信器であって、前記処理器（１７０）は前記オフセット値に基づいて前記第１制御信号を生成する、ことを特徴とするテレビジョン信号受信器。
【請求項１２】
請求項９に記載のテレビジョン信号受信器であって、前記処理器（１７０）は、前記フィルタ（１３０）により生成される第２制御信号に応じて前記第１制御信号を生成する、ことを特徴とするテレビジョン信号受信器。
【請求項１３】
チューニング装置（１００）を制御するための方法であって：
ＲＦ信号を受ける段階；
前記ＲＦ信号からＩＦ信号を生成し、前記チューニング装置（１００）のフィルタ（１３０）に前記ＩＦ信号を供給する段階；及び
前記フィルタ（１３０）の温度特性に基づいて前記ＩＦ信号の周波数を制御する段階；
を有することを特徴とする方法。
【請求項１４】
請求項１３に記載の方法であって、前記フィルタ手段（１３０）は  ニオブ酸リチウム（ＬｉＮｂ）表面弾性波（ＳＡＷ）フィルタを含む、ことを特徴とする方法。
【請求項１５】
請求項１３に記載の方法であって：
前記フィルタ（１３０）の前記温度特性に対応するオフセット値を読み取る段階；及び
前記ＩＦ信号の前記周波数を制御するために前記オフセット値を用いる段階；
から更に構成される、ことを特徴とする方法。
【請求項１６】
請求項１３に記載の方法であって、前記ＩＦ信号の前記周波数は前記フィルタ（１３０）により供給される制御信号に応じて制御される、ことを特徴とする方法。
【発明の詳細な説明】
【技術分野】
【０００１】
本発明は、一般に、トンネル制御に関し、特に、フィルタの、温度に関連する周波数変化を補償するためのチューニング装置を制御するための技術を含む。
【０００２】
複数の周波数チャネルから１つの周波数チャネルをチューニングするための処理は、対象の周波数チャネルの中央の周波数と複数の周波数チャネルを含む高周波（ＲＦ）信号を
調和させることと、対象の周波数チャネルを通過させるためにフィルタリング操作を使用することを含み、他の周波数チャネル全てを拒否することが可能である。そのような処理は、テレビジョン信号受信器、ケーブルモデム及び／又は他の装置のような装置により一般に用いられる。
【背景技術】
【０００３】
上記のチューニング処理における対象の周波数チャネルを通過させるために用いられるフィルタリング操作は、１つ又はそれ以上の表面弾性波（ＳＡＷ）フィルタをしばしば利用する。特に、タンタル酸リチウム（ＬｉＴａ）ＳＡＷフィルタは、比較的小さい温度係数のためにテレビジョン信号受信器のような装置におけるフィルタリング操作を実行するためにしばしば使用される。しかしながら、ＬｉＴａのＳＡＷフィルタは特定の不利点を有する。例えば、ＬｉＴａのＳＡＷフィルタのために回路デザインを適用することは困難である傾向にある。更に、ＬｉＴａ  ＳＡＷフィルタは、典型的には、他のタイプのフィルタを必要としないインピーダンス適合構成要素を必要とする。従って、ＬｉＴａ  ＳＡＷフィルタの使用を回避することに関連して特定の有利点が存在する。
【０００４】
ＬｉＴａ  ＳＡＷフィルタに変わる１つのフィルタはニオブ酸リチウム（ＬｉＮｂ）ＳＡＷフィルタである。しかしながら、ＬｉＮｂ  ＳＡＷフィルタは、ＬｉＴａ  ＳＡＷフィルタに関連する幾つかの問題点を回避することが可能である一方、それは又、問題点を有している。特に、ＬｉＮｂ ＳＡＷフィルタは、その動作中に温度依存的である傾向にある。このようなＬｉＮｂ  ＳＡＷフィルタの温度依存特性は、特定の装置において特に問題である。例えば、ＬｉＮｂ  ＳＡＷフィルタがそのようなテレビジョン信号受信器のような装置において用いられるとき、その温度依存特性は、その中心出力周波数が環境温度に依存して変化するようにすることとなる。この周波数変動は又、受信器のピクチャ対ノイズ比を有する問題点を生成することとなる。
【発明の開示】
【発明が解決しようとする課題】
【０００５】
従って、上記の問題点を回避するチューニング装置及び方法に対する要求が存在し、これにより、テレビジョン信号受信器のような装置においてＬｉＮｂ  ＳＡＷフィルタを用いることを可能にする一方、その温度依存特性に関連する問題点を回避することが可能である。本発明の適用により、以上の及び他の問題に対応することができる。
【課題を解決するための手段】
【０００６】
本発明の特徴に従って、チューニング装置が開示される。例示としての実施形態に従って、チューニング装置は、ＲＦ信号ソースとフィルタ手段とチューニング手段とから構成される。チューニング手段は局部発振器を含み、フィルタ手段に対してＩＦ信号を供給するために、ＲＦ信号ソースとフィルタ手段との間に結合される。チューニング手段は又、フィルタ手段の温度特性に応じて、局部発振器の周波数を調節するための調節手段を含む。
【０００７】
本発明の他の特徴に従って、チューニング装置を制御するための方法が開示される。例示としての実施形態に従って、その方法は、ＲＦ信号を受ける段階と、ＲＦ信号からＩＦ信号を生成し且つチューニング装置のフィルタにＩＦ信号を供給する段階と、フィルタの温度特性に基づいてＩＦ信号の周波数を制御する段階とから構成される。
【０００８】
添付図面に関連してなされる本発明の実施形態の以下の説明を参照することにより、本発明の、上記の及び他の特徴及び有利点並びにそれらを達成する方法は、より明確になり、本発明がより理解されることであろう。
【発明を実施するための最良の形態】
【０００９】
ここで提供する例示は本発明の好適な実施形態を明らかにし、そのような例示は、いずれの方法において、本発明の範囲を制限するとしてみなされない。
【００１０】
ここで、図であって、より具体的には図１を参照するに、本発明を実行するために適する、例示としてのチューニング装置１００を示している。図１において示しているチューニング装置は、例えば、テレビジョン信号受信器の一部を表している。しかしながら、周波数分割多重（ＦＤＭ）システムにおけるように、所望のチャネルを選択するためにチューナを使用するいずれの装置に本発明の理論を適用することが可能であることは、当業者に理解されるであろう。
【００１１】
図１において、チューニング装置１００は、チューナ１１０のようなチューニング手段と、中間周波数（ＩＦ）ＳＡＷフィルタ１３０のようなフィルタ手段とから構成される。電気的消却プログラム可能型読み取り専用メモリ（ＥＥＰＲＯＭ）１５０のようなメモリ手段と処理器１７０のような処理手段とを含む制御手段は又、図１に含まれている。
【００１２】
チューナ１１０は、可変利得増幅器１１２と乗算器１１４と増幅器１１６と局部発振器（ＬＯ）１２０とから構成される。ＬＯ１２０は、水晶発振子（ＣＯ）１２１と固定１／Ｎ分周器１２２と乗算器１２３とループフィルタｆ１２４と電圧制御発信器（ＶＣＯ）１２５とプログラム可能１／Ｍ分周器１２６のような周波数調整手段とから構成される。上記の要素は、例えば、１つ又はそれ以上の集積回路（ＩＣ）を使用して具現化されることが可能である。
【００１３】
チューナ１１０は、ＲＦ入力信号（即ち、ＲＦ入力）を受けるために動作し、チューニング動作を実行し、これにより、チューニングされた中間周波数（ＩＦ）信号（即ち、ＩＦ出力）を生成し且つ出力する。下で説明するように、チューナ１１０により供給されるチューニングされたＩＦ信号は、ＩＦ  ＳＡＷフィルタ１３０の出力において温度に関連した周波数変化（即ち、ドリフト）を補償するために周波数調整されることが可能である。例示目的で、図１に、チューナ１１０が単一の周波数変換チューナとして示されている。しかしながら、本発明の原理をいずれのチューナアーキテクチャに適用することが可能であることは、当業者には理解できるであろう。
【００１４】
図１において、可変利得増幅器１１２は、ＲＦ入力信号を受け且つ増幅し、これにより、増幅されたＲＦ信号を生成し且つ出力する。ＲＦ入力信号は、衛星放送、ケーブル放送又は地上放送のようないずれの有線又は無線信号ソースにより、チューナ１１０に供給されることが可能であるが、それらに限定されるものではない。乗算器１１４は、増幅器１１２から増幅されたＲＦ信号を受け、ＬＯ１２０からの周波数出力信号でそれを乗算し、それに関してＩＦ出力信号を生成し且つ出力するようにする。ＬＯ１２０の出力周波数はｆｏ＝ｆｒｘＭ／Ｎであり、ここで、ｆｒはＣＯ１２により生成される基準周波数である。Ｍ及びＮは０より大きい整数値である必要があるため、ＬＯ１２０の周波数ステップサイズ（即ち、ｆｏにおける最小変化）はΔｆｏ＝ｆｒ／Ｎである。増幅器１１６は乗算器１１４からＩＦ出力信号を受け、それを増幅し、それに関してチューニングされたＩＦ信号をＩＦＳＡＷフィルタ１３０に出力するようにする。
【００１５】
ＳＡＷフィルタ１３０は１つ又はそれ以上のフィルタから構成され、チューナ１１０からのチューニングされたＩＦ信号出力をフィルタリングするように動作する。例示としての実施形態に従って、ブロック１３０の１つ又はそれ以上のフィルタはＬｉＮｂ  ＳＡＷフィルタであり、そのＬｉＮｂ  ＳＡＷフィルタは、動作において温度依存性を有する。特に、ＬｉＮｂ  ＳＡＷフィルタの温度依存性特性は、ＩＦ  ＳＡＷフィルタ１３０の中央の出力周波数が環境の温度に依存して変化するようにすることができる。チューナ１１０からのチューニングされたＩＦ信号出力が映像変調を伴う残留側波帯信号であり、ＩＦＳＡＷフィルタ１３０が信号スペクトルの両側波帯領域と一致するように意図されたナイキスト（Ｎｙｑｕｉｓｔ）スロープを有する場合、このＩＦ  ＳＡＷ１３０の周波数変化は、次の復調器の出力におけるピクチャ対ノイズ比及び周波数応答に関する問題を生じさせる。
【００１６】
ＳＡＷフィルタ１３０は又、現在の環境温度を測定する温度感知装置を含むことが可能であり、処理器１７０にこのような温度を表す制御信号を出力する。この中で後に説明するように、この制御信号は、チューニングされたＩＦ信号がＩＦ  ＳＡＷフィルタ１３０に関連する殆どの現在の温度の状態に基づく適切な方式でチューナ１１０により生成されることを可能にする。
【００１７】
ＥＥＰＲＯＭ１５０は、ＩＦ  ＳＡＷフィルタ１３０の温度特性に関連する１つ又はそれ以上の値から構成されるデジタルデータを記憶するための不揮発性メモリである。例示としての実施形態に従って、ＥＥＰＲＯＭ１５０は、ＩＦ ＳＡＷブロック１３０に関連する環境の温度範囲に対応する少なくとも１つのオフセット値を記憶する。この例示としての実施形態を用いると、制御チューナ１１０に用いられるオフセット値は、チューニング装置１００のデザインの検討に基づいて確立される、固定された所定値とすることが可能である。
【００１８】
他の例示としての実施形態に従って、ＥＥＰＲＯＭ１５０が複数のオフセット値を記憶し、各々のそのような値は、ＩＦ  ＳＡＷフィルタ１３０に関連する異なる環境温度範囲に対応する。この例示としての実施形態を用いると、ＩＦ  ＳＡＷフィルタ１３０は、実際の時間ベースでＩＦ  ＳＡＷフィルタ１３０に関連する現在の環境温度を測定する温度感知装置を含むことが可能であり、それ故、チューナ１１０を制御する処理器１７０に、この温度を表す対応する温度制御信号を出力する。
【００１９】
処理器１７０は、種々の処理動作を実行するように動作する。例示としての実施形態に従って、処理器１７０は、ＥＥＰＲＯＭ１５０からオフセット値を読み取り、チューナ１１０の制御ＬＯ１２０に、オフセット値に基づいて制御信号を生成する。上で示したように、処理器１７０は、ＩＦ  ＳＡＷフィルタ１３０も関連する現在の環境温度を表す、ＩＦ  ＳＡＷフィルタ１３０からの制御信号に基づいて、ＥＥＰＲＯＭ１５０からのオフセット値を読み取ることが可能である。
【００２０】
本発明の発明的概念についてのよりよい理解を容易にするために、以下、より具体的な例を提供する。図２を参照するに、本発明に従った例示としての段階を示すフローチャート２００を示している。例示及び説明を目的として、図２の段階について、図１のチューニング装置１００を参照して説明する。図２の段階は単に例示であって、いかなる方法においても本発明を制限することを意図されたものではない。
【００２１】
段階２０１において、チャネルチューニング動作が実行される。例示としての実施形態に従って、チャネルチューニング動作は、ユーザにより開始されたチャネル変化動作に応じて又は、オンにされたチューニング装置１００（例えば、テレビジョン信号受信器）を含む装置に応じて、従来の方法で実行されることが可能である。段階２０１においてチャネルチューニング動作を可能にするために、処理器１７０は、ＬＯ１２０のプログラム可能１／Ｍ周波数ドライバ１２６にＭ値を送信する。このＭ値は、ＬＯ１２０がＩＦ  ＳＡＷフィルタ１３０からのＩＦ周波数出力をその名目上の周波数に近づける必要がある出力周波数ｆ０をＬＯ１２０が生成するようにする。例示としての実施形態に従って、この名目上の周波数は４５．７５ＭＨｚであり、ピクチャ担持搬送体を表す。処理器１７０は又、プログラム可能１／Ｍ周波数ドライバ１２６に送信されるＭ値を保存する。
【００２２】
段階２０２において、オフセット値は、処理器１７０によりＥＥＰＲＯＭ１５０から読み取られる。１つの例示としての実施形態に従って、オフセット値は、チューニング装置１００のデザインの考慮に基づいて確立される固定的な所定値であり、製造時にチューニング装置１００において定められる。例えば、例示としてのデザインに従って、ＩＦ  ＳＡＷフィルタ１３０は、４０℃の環境温度において動作するようにデザインされたＬｉＮｂ  ＳＡＷフィルタである。この例示としてのデザインを用いることにより、オフセット値は、ＩＦ  ＳＡＷフィルタ１３０に関連した環境温度が又４０℃である場合、０であることが可能である。
【００２３】
他の例示としての実施形態に従って、オフセット値は、可変であり、ＩＦ  ＳＡＷフィルタ１３０に関連した現在の環境温度に基づいて、処理器１７０によりＥＥＰＲＯＭから適応するように読み取られる。この中で、上記したように、ＩＦ  ＳＡＷフィルタ１３０は、現在の環境温度を測定し、処理器１７０にこの温度を表す制御信号を出力するこの実施形態を用いる、関連温度感知装置を含むことが可能である。処理器１７０は、次いで、現在の環境温度に対応する、ＥＥＰＲＯＭ１５０からオフセット値を読み取る。このようにして、処理器１７０により読み取られたオフセット値は、ＩＦ  ＳＡＷフィルタ１３０に関連する最も現在の温度状態に基づいている。
【００２４】
可変オフセット値を用いることは、例えば、ＩＦ  ＳＡＷフィルタ１３０に関連する環境温度が大幅な変化を受け易いとき、適切である。例えば、ＩＦ  ＳＡＷフィルタ１３０に関連した環境温度が、最終的な機械的パッケージングのような因子及び／又は冷却ファンを用いるかどうかに依存して２５℃乃至７５℃で変化する特定なアプリケーションを提供する。ＬｉＮｂ  ＳＡＷフィルタが−７２ｐｐｍ／℃の温度係数を有するため、この５０℃の温度における不確定さは、ＩＦ  ＳＡＷフィルタ１３０からの、４５．７５ＭＨｚの名目上の周波数を有するピクチャ担持搬送体を表す、理想的なＩＦ  ＳＡＷ出力における１６４．７ｋＨｚ（即ち、７２ｘ４５．７５ｘ５０）の不確定さと同等である。この場合、ＣＯ１２１が４ＭＨｚの基準周波数ｆｒと６４に等しいＮとを有する場合、ＬＯ１２０の出力周波数ｆ０における最小変化は、Δｆ０＝４ＭＨｚ／６４＝６２．５ｋＨｚである。従って、ＬＯ１２０の最小周波数ステップサイズに対する周波数不確定さの比は、１６４．７／６２．５＝２．６である。この結果は、２ビットのデジタル数字が必要であり、査衣装周波数ステップサイズを用いて１６４．７ｋＨｚの範囲をカバーするには十分であることを示している。例示としてのデザインに従って、ＩＦ  ＳＡＷフィルタ１３０は、４０℃の環境温度において動作するようにデザインされたＬｉＮｂ  ＳＡＷフィルタである。それ故、ＥＥＰＲＯＭ１５０に記憶されたオフセット値は次のようになる。
−１  環境温度＝２１℃＋／−９．５℃の場合
０  環境温度＝４０℃＋／−９．５℃の場合
＋１  環境温度＝５９℃＋／−９．５℃の場合、及び
＋２  環境温度＝７８℃＋／−９．５℃の場合
次に、段階２０３において、段階２０２において、ＥＥＰＲＯＭ１５０から読み取られたオフセット値が有効であるかどうかに関して、判定がなされる。例示としての実施形態に従って、処理器１７０は、オフセット値が、−４乃至＋４の範囲内にある場合に、含まれルカ同化を判定するようにプログラムされる。従って、この範囲外のオフセット値は無効であるとみなされる。勿論、段階２０３において、異なる範囲の値を用いることが可能である。
【００２５】
処理器１７０が、段階２０３において、オフセット値が有効でないと判定する場合、処理フローは、アルゴリズムが終了される段階２０６に進められる。代替として、処理器１７０が、段階２０６において、オフセット値が有効であることを判定する場合、処理フローは、処理器１７０が段階２０１においてプログラム可能１／Ｍ周波数ドライバ１２６に送信された最後のＭ値にオフセット値を加算する段階２０４に進む。このようにして、処理器１７０は、プログラム可能１／Ｍ周波数ドライバ１２６に対して新しいＭ値を生成する。
【００２６】
段階２０５において、処理器１７０は、段階２０４において生成された新しいＭ値をＬＯ１２０のプログラム可能１／Ｍ周波数ドライバ１２６に送信する。この新しいＭ値は、ＬＯ１２０が出力周波数ｆ０を調節するようにし、順に、ＩＦＳＡＷフィルタ１３０に適用されるＩＦ周波数が適切な周波数にできるだけ近くなるようにし、それ故、信号スペクトルは好ましいフィルタ特性に一致するようになる。段階２０５の後、処理フローは、アルゴリズムが終了される段階２０６に進めされる。
【００２７】
以上、説明したように、本発明は、テレビジョン信号受信器のようナ装置におけるＬｉＮｂ  ＳＡＷフィルタの使用を可能にする一方、温度依存特性に関連する問題点を排除するチューニング装置及び方法を提供する。本発明は、特に、表示装置を有するか又は有しない主純装置に適用することが可能である。従って、以上で用いた表現“テレビジョン信号受信器”は、テレビジョンセット、セットトップボックス、ビデオカセットレコーダ（ＶＣＲ）、ＤＶＤ（Ｄｉｇｉｔａｌ  Ｖｅｒｓａｔｉｌｅ  Ｄｉｓｋ）プレーヤ、映像ゲームボックス、パーソナルビデオレコーダ（ＰＶＲ）、を含む、テレビジョン信号を受信することができるシステム又は装置をいうが、それらに限定されるものではなく、それらの装置が表示装置を含むか否かに拘わらない。
【００２８】
本発明は、好適なデザインを有するように説明した一方、本発明は、このような開示の意図及び範囲から逸脱することなく更に改善されることができる。それ故、本発明は、本発明の一般原理を用いる本発明のいずれの変形、使用又は適応をカバーすることを意図されている。更に、本発明は、同時提出の特許請求の範囲の範囲内にありそして本発明が関係する、当該技術分野における既知の又は通常の実行の範囲内に入るような、本発明の開示内容からそのような派生をカバーすることを意図している。
【図面の簡単な説明】
【００２９】
【図１】本発明を実行するために適切な例示としてのチューニング装置を示す図である。
【図２】本発明に従った段階を例示的に示すフローチャートである。
【図１】
2005524275.tif 000003
【図２】
2005524275.tif 000004
【国際調査報告】
2005524275.tif 000005
2005524275.tif 000006